(57)【要約】【課題】系統隔離支援システムによって電子化された系統図を、現場で簡単に参照が行えるようにした遠隔作業支援システムを得る。【解決手段】現場に配置された携帯端末１から、中央制御室の現場作業支援システム２を介して、設備データベース３ａ、設備の系統図３ｃなどを有する系統隔離支援システム３に、取得したい設備の名称１ａを送信し、これを受けた系統隔離支援システム３では、この設備の名称１ａを元にして、指定された範囲の携帯端末用の系統図１ｂを作成し、これを現場作業支援システム２を介して携帯端末１に送信し、携帯端末１でこの携帯端末用系統図１ｂを表示して、現場で系統図が確認できるようにした。【選択図】        図１
2004240665.tif 000002
【特許請求の範囲】
【請求項１】
設備に関する情報及び上記設備の系統図を有する系統隔離支援システム、この系統隔離支援システムとネットワークを介して接続された現場作業支援システム、及び作業現場に配置され、上記現場作業支援システムとの間で情報を送受信し、受信した情報を表示する携帯端末を備え、上記携帯端末は、上記現場作業支援システムを介して上記系統隔離支援システムに設備情報を送信し、上記設備情報を送信された系統隔離支援システムは、上記設備情報に基づき上記設備を含む予め指定された範囲の携帯端末用の系統図を作成し、上記現場作業支援システムを介して上記携帯端末に送信して表示させることを特徴とする遠隔作業支援システム。
【請求項２】
上記系統隔離支援システムは、上記携帯端末用の系統図からピンボード系統図を作成し、上記作成されたピンボード系統図を上記携帯端末に送信して表示させることを特徴とする請求項１記載の遠隔作業支援システム。
【請求項３】
設備のオンライン値を有する設備総合情報システムを備え、上記系統隔離支援システムは、作成した携帯端末用の系統図中の設備について上記設備総合情報システムからオンライン値を取得し、上記取得した設備のオンライン値を上記携帯端末用の系統図と共に上記携帯端末に送信して表示させることを特徴とする請求項１または請求項２記載の遠隔作業支援システム。
【発明の詳細な説明】
【０００１】
【発明の属する技術分野】
この発明は、中央制御室で保有する系統図の情報を、現場の携帯端末に表示させ、現場での作業を支援する遠隔作業支援システムに関するものである。
【０００２】
【従来の技術】
従来は、系統図隔離支援システムで、系統図の情報を電子的に参照することは可能であったが、そのデータを現場で参照する手段はなかった。また、設備のオンライン値の情報を参照する場合は、電話等の手段にて中央制御室に問い合わせを行っていた。（特許文献１参照）
【０００３】
【特許文献１】
特開２００１−３４４０１１号公報（段落番号００１３〜００２２、第１図）
【０００４】
【発明が解決しようとする課題】
従来は、系統隔離支援システムで使用している系統図を現場で参照する手段はなく、系統図を現場で確認したい場合は、紙にて参照することが必要であり、事前に準備をする必要があった。
また、設備のオンライン値を確認するためには、電話等で中央制御室に問い合わせる必要があり、第三者を介して情報を入手する必要があるなどの問題点があった。
【０００５】
この発明は、上記のような課題を解決するためになされたものであり、系統隔離支援システムによって電子化された系統図を、現場で簡単に参照できるようにした遠隔作業支援システムを得ることを第一の目的としている。
また、系統隔離支援システムにより作成したピンボード系統図を、現場で参照することにより、設備の状態、作業予定が確認できる遠隔作業支援システムを得ることを第二の目的としている。
さらに、設備のオンライン値を現場で参照する機能を付加することで、現場作業の効率化を支援する遠隔作業支援システムを得ることを第三の目的としている。
【０００６】
【課題を解決するための手段】
この発明に係わる遠隔作業支援システムにおいては、設備に関する情報及び設備の系統図を有する系統隔離支援システム、この系統隔離支援システムとネットワークを介して接続された現場作業支援システム、及び作業現場に配置され、現場作業支援システムとの間で情報を送受信し、受信した情報を表示する携帯端末を備え、携帯端末は、現場作業支援システムを介して系統隔離支援システムに設備情報を送信し、設備情報を送信された系統隔離支援システムは、設備情報に基づき設備を含む予め指定された範囲の携帯端末用の系統図を作成し、現場作業支援システムを介して携帯端末に送信して表示させるものである。
【０００７】
【発明の実施の形態】
実施の形態１．
以下、この発明の実施の形態１を図１に基づいて説明する。
図１は、この発明の実施の形態１による遠隔作業支援システムを示す構成図である。
図１において、携帯端末１は、現場作業支援システム２との間で情報を送受信するように構成され、作業対象の設備の情報として設備の名称１ａを発信し、受信した携帯端末用系統図１ｂを表示する。情報の処理等を行う現場作業支援システム２と系統隔離支援システム３とは、中央制御室等に設置されている。系統隔離支援システム３が保有するデータは、設備データベース３ａ、設備と系統図の関連付データベース３ｂ、プラント等の系統を各設備シンボルにより表示した系統図３ｃ、系統図上のシンボル３ｄ、設備番号３ｅ、系統図の図面番号３ｆ、系統図上のシンボルのハンドル３ｇ及びシンボルの座標３ｈにより構成される。
【０００８】
次に、動作について説明する。
まず、系統隔離支援システム３が設置されている中央制御室等から離れた場所から、携帯端末１を使用して、取得したい設備の名称１ａを現場作業支援システム２に送信する。現場作業支援システム２では、この情報を系統隔離支援システム３へ送信し、系統隔離支援システム３では、次のようにして、設備の名称１ａから対応する設備のシンボルの座標３ｈを得て、携帯端末用系統図１ｂを作成する。
すなわち、設備データベース３ａの情報により、設備の名称１ａから設備番号３ｅを、設備と系統図の関連付データベース３ｆにより、設備番号３ｅから、系統図の図面番号３ｆと系統図上のシンボルのハンドル３ｇとを、系統図３ｃにより、シンボルのハンドル３ｇから、系統図上の設備のシンボル３ｄを、そして設備のシンボル３ｄからシンボルの座標３ｈを取得する。シンボルの座標３ｈを基準に予め指定していた範囲の系統図を抽出し、携帯端末用系統図１ｂを作成する。
作成された携帯端末用系統図１ｂは、現場作業支援システム２を介して携帯端末１に表示され、参照可能となる。
【０００９】
実施の形態１によれば、これにより、現場で参照したい時に設備の系統図を確認することができるため、現場作業を行う際、紙で出力した系統図を持ち出す必要がなくなり、業務の効率化を支援することが可能である。
【００１０】
実施の形態２．
図２は、この発明の実施の形態２による遠隔作業支援システムを示す構成図である。
図２において、１、１ａ、２、３、３ａ、３ｂ、３ｄ〜３ｈは、図１におけるものと同一のものであり、その説明を省略する。携帯端末１には、各設備の状態（開閉状態など）が表わされたピンボード系統図１ｃが表示される。系統隔離支援システム３は、系統図３ｆからピンボード系統図３ｉを自動作成する。
【００１１】
次に、動作について説明する。
携帯端末１から取得したい設備の名称１ａを現場作業支援システム２に送信し、現場作業支援システム２では、この情報を系統隔離支援システム３へ送信する。系統隔離支援システム３は、系統図から各設備の状態を表わしたピンボード系統図を作成するピンボード系統図作成機能を備えており、設備１ａが記載されている系統図３ｆからピンボード系統図３ｉを作成する。
作成されたピンボード系統図３ｉ上の設備シンボル３ｄからシンボルの座標３ｈを取得し、シンボルの座標３ｈを基準に予め指定された範囲の系統図を抽出し、携帯端末用ピンボード系統図１ｃを作成する。
作成した携帯端末用ピンボード系統図１ｃは、現場作業支援システム２を介して携帯端末１に表示され、参照可能となる。
【００１２】
実施の形態２によれば、これにより、現場で操作を行う時に、現場で系統の状態を視覚的に参照することができるため、作業のミス等を削減することが可能となる。
【００１３】
実施の形態３．
図３は、この発明の実施の形態３による遠隔作業支援システムを示す構成図である。
図３において、１、１ｂ、２、３、３ａ〜３ｇは、図１におけるものと同一のものであり、その説明を省略する。携帯端末１は、系統図中の設備のオンライン値１ｄを表示する。設備データベース３ａは、設備に対する点番号３ｊを保有する。系統図３ｃは、携帯端末用系統図を作成する領域３ｋを有している。携帯端末用系統図作成領域３ｋ中には、各シンボルのハンドル３ｍが存在している。系統隔離支援システム３と同一ネットワーク上に存在する設備総合情報システム４は、データベース４ａと、設備の点番号３ｊに対するオンライン値１ｄを保有している。
【００１４】
次に、動作について説明する。
系統隔離支援システム３は、携帯端末１からの要求に基づき、実施の形態１にて表示している携帯端末用系統図１ｂを作成する際に、携帯端末用系統図作成領域３ｋの中に存在する各シンボルに対し、各シンボルのハンドル３ｍを抽出する。抽出されたシンボルのハンドル３ｍは、系統図と設備の関連付けデータベース３ｂより、設備番号３ｅが抽出され、設備データベース３ａより設備番号３ｅに対して登録されている点番号３ｊが抽出される。この点番号３ｊは、設備総合情報システム４が保有するデータベース４ａの点番号と対応しており、これにより、オンライン値１ｄが抽出可能である。抽出された各設備のオンライン値１ｄは、図３に示されるように、携帯端末用系統図１ｂと共に、現場作業支援システム２を介して携帯端末１に表示され、参照可能となる。
【００１５】
実施の形態３によれば、これにより、系統上の設備のオンライン値を、携帯端末を使用して現場で参照できるため、従来のように電話等で第三者を介して設備のオンライン値の確認をする必要がなくなるため、作業の効率化を支援することが可能である。
【００１６】
【発明の効果】
この発明は、以上説明したように、設備に関する情報及び設備の系統図を有する系統隔離支援システム、この系統隔離支援システムとネットワークを介して接続された現場作業支援システム、及び作業現場に配置され、現場作業支援システムとの間で情報を送受信し、受信した情報を表示する携帯端末を備え、携帯端末は、現場作業支援システムを介して系統隔離支援システムに設備情報を送信し、設備情報を送信された系統隔離支援システムは、設備情報に基づき設備を含む予め指定された範囲の携帯端末用の系統図を作成し、現場作業支援システムを介して携帯端末に送信して表示させるので、作業現場で参照したい時に設備の系統を確認することができ、現場作業を行う際の業務の効率化を支援することができる。
【図面の簡単な説明】
【図１】この発明の実施の形態１による遠隔作業支援システムを示す構成図である。
【図２】この発明の実施の形態２による遠隔作業支援システムを示す構成図である。
【図３】この発明の実施の形態３による遠隔作業支援システムを示す構成図である。
【符号の説明】
１  携帯端末、１ａ  設備の名称、１ｂ  携帯端末用系統図、
１ｃ  ピンボード系統図、１ｄ  設備の点番号に対するオンライン値、
２  現場作業支援システム、３  系統隔離支援システム、
３ａ  設備データベース、３ｂ  設備と系統図の関連付データベース、
３ｃ  系統図、３ｄ  系統図上のシンボル、３ｅ  設備番号、
３ｆ  系統図の図面番号、３ｇ  系統図上のシンボルのハンドル、
３ｈ  シンボルの座標、３ｉ  ピンボード系統図、
３ｊ  設備に対する点番号、３ｋ  携帯用系統図を作成する領域、
３ｍ  携帯用系統図作成領域中に存在する各シンボルのハンドル、
４  設備総合情報システム、４ａ  データベース。
【図１】
2004240665.tif 000003
【図２】
2004240665.tif 000004
【図３】
2004240665.tif 000005